(57)【要約】【課題】  コンタクト収容室の狭ピッチ化を可能としつつ、コネクタの左右幅方向寸法の小型化を実現する二重係止コネクタを提供する。【解決手段】二重係止コネクタ１において、上下２列状のコンタクト収容室１３を、左右幅方向に沿って千鳥配置するとともに、ハウジング１０のリテーナ装着孔１４には、左右幅方向で隣接するコンタクト収容室１３間の空間に設けられたハウジング極間壁１５に形成された係止部１６を備え、リテーナ３０が、係止部１６に係止される係止アーム３５を備えている。【選択図】図８
2010262853.tif 000002
【特許請求の範囲】
【請求項１】
複数のコンタクトと、各々が前記複数のコンタクトの各々を収容し、左右幅方向に沿って上下２列状に配置された複数のコンタクト収容室を有するハウジングと、前記コンタクトの各々及び／又は前記コンタクト収容室の各々に設けられた一次係止手段と、前記ハウジングに装着され、前記複数のコンタクトの二次係止手段としてのリテーナとを備え、前記ハウジングには、該ハウジングの底側面から開口して前記コンタクト収容室を前後に分断するように形成されたリテーナ装着孔を設け、前記リテーナが、前記ハウジングの底側面の開口から前記リテーナ装着孔に挿入されて前記コンタクト収容室と前記リテーナに設けられたコンタクト挿通孔が整合する仮係止位置と本係止位置とで保持される二重係止コネクタにおいて、
前記上下２列状のコンタクト収容室は、前記左右幅方向に沿って千鳥配置されているとともに、前記ハウジングの前記リテーナ装着孔には、左右幅方向で隣接する前記コンタクト収容室間の空間に設けられたハウジング極間壁に形成された係止部を備え、
前記リテーナが、前記係止部に係止される係止アームを備えていることを特徴とする二重係止コネクタ。
【請求項２】
前記係止アームが仮係止アームであり、前記係止部が仮係止部であり、前記仮係止アームが前記仮係止部に係止されたときに前記リテーナが前記仮係止位置に保持されることを特徴とする請求項１記載の二重係止コネクタ。
【請求項３】
前記仮係止アーム及び前記仮係止部が１対設けられ、前記１対の仮係止アームが前記１対の仮係止部に同時に係止されることを特徴とする請求項２記載の二重係止コネクタ。
【請求項４】
前記リテーナが前記仮係止位置に保持されるときに前記１対の仮係止アーム間に前記コンタクトが配置されることを特徴とする請求項３記載の二重係止コネクタ。
【発明の詳細な説明】
【技術分野】
【０００１】
本発明は、コンタクトを係止するリテーナがコネクタハウジングの側面から挿入されるサイドリテーナ型の二重係止コネクタに関する。
【背景技術】
【０００２】
従来のサイドリテーナ型の二重係止コネクタとして、例えば、図１５及び図１６に示すものが知られている（特許文献１参照）。図１５は、従来例の二重係止コネクタの分解斜視図である。図１６は、係止アームの係合順を示す要部拡大断面図である。
図１５に示す二重係止コネクタ１０１は、略直方体状のハウジング１１０と、ハウジング１１０に取り付けられる複数のコンタクト１２０と、これらコンタクト１２０を二重係止するためのリテーナ１３０とを具備している。
【０００３】
ハウジング１１０の内部には、ハウジング１１０の複数のコンタクト収容室１１１が上下２列状にハウジング１１０の左右幅方向に沿って所定ピッチで設けられている。各コンタクト収容室１１１は、ハウジング１１０の左右幅方向と直交する前後方向においてハウジング１１０を貫通している。そして、ハウジング１１０の下面には、リテーナ１３０を挿入するためのリテーナ挿入孔１１２が設けられている。リテーナ挿入孔１１２は、ハウジング１１０のほぼ全幅にわたって開口し、全てのコンタクト収容室１１１を前後に分断するように高さ方向に沿って穿設されている。また、リテーナ挿入孔１１２の両端側の最深部には、後述するリテーナ１３０の係止アーム１３２の先端部を受け入れる係合溝１１３が設けられている。リテーナ挿入孔１１２における両係合溝１１３寄りであって前後に対向する孔壁部には、図１６に示すように、複数の係止突部１１４ａ，１１４ｂ，１１４ｃが設けられている。具体的には、リテーナ挿入孔１１２の後側の孔壁部において最も浅い位置に位置した係止突部１１４ａと、リテーナ挿入孔１１２の前側の孔壁部において係止突部１１４ａよりも深い位置に位置した２つの係止突部１１４ｂ，１１４ｃとが設けられている。
【０００４】
各コンタクト１２０は、相手コンタクト（図示せず）を受容する略箱型のリセプタクル部１２１と、電線Ｗの芯線を圧着するワイヤバレル１２２と、電線Ｗの被覆を圧着するインシュレーションバレル１２３とを備えている。リセプタクル部１２１には、下方に延びる１対のスタビライザ部１２４が設けられている。
また、リテーナ１３０は、ハウジング１１０のリテーナ挿入孔１１２にハウジング１１０の側方（下方）から挿入される枠状に形成されている。リテーナ１３０には、ハウジング１１０の下列のコンタクト収容孔１１１と整合可能な複数のコンタクト挿通孔１３１が形成されている。また、リテーナ１３０の左右幅方向両端部には、１対の係止アーム１３２が対向して立設されている。各係止アーム１３２は、ハウジング１１０への挿入方向に沿ってリテーナ１３０から突出し、二股状でかつ閉じる方向に変形可能に形成されている。そして、各係止アーム１３２は、各係止突部１１４ａ，１１４ｂ，１１４ｃに対して選択的に係合し、リテーナ１３０を３つの挿入位置においてハウジング１１０側へ保持させることができる。
【０００５】
また、リテーナ１３０の上面には、仮係止用突起１３３及び本係止用突起１３５が左右に片側２対ずつ、合計４対配置されている。また、仮係止用突起１３３及び本係止用突起１３５は、図示はしないが、リテーナ１３０のコンタクト挿通孔１３１内にも同様に配置されている。仮係止突起１３３は、コンタクト１２０の挿入方向に関して手前側に、本係止突起１３５はコンタクト１２０の挿入方向に関して後方に配置されている。各仮係止突起１３３は、本係止突起１３５より幅広に形成され、コンタクト１２０の両スタビライザ部１２４間よりも広く設定されている。
【０００６】
各コンタクト１２０は、リテーナ１３０が図１６（Ａ）に示す位置にあるときにハウジング１１０の後方から各コンタクト収容室１１１内に挿入される。この際、リテーナ１３０の一方の係止アーム１３２は係止突部１１４ａに係合されている。そして、リテーナ１３０を押し込むと、他方の係止アーム１３２が図１６（Ｂ）に示すように係止突部１１４ｂに係合され、リテーナ１３０は仮係止位置に保持される。この際に、仮係止突起１３３がコンタクト収容室１１１内に若干突出してスタビライザ部１２４の後側にゆるく係合し、コンタクト１２０は仮係止の状態になる。仮係止突起１３３のコンタクト挿入方向後面には傾斜面１３４が形成されており、未だにコンタクト収容室１１１内に挿入されていない新たなコンタクト１２０もこの傾斜面１３４に沿って挿入できる。
【０００７】
そして、リテーナ１３０を仮係止位置から更に押し込むと、他方の係止アーム１３２が図１６（Ｃ）に示すように係止突起１１４ｃに係合し、リテーナ１３０は本係止位置に保持される。この際に、仮係止突起１３３がスタビライザ部１２４に対して深く係合し、かつ本係止突起１３５がコンタクト１２０に設けられた係止孔（図示せず）内に突入し、コンタクト１２０は本係止状態となる。このとき、コンタクト１２０は、リテーナ１３０の仮係止突起１３３による一次係止と、本係止突起１３５による二次係止とにより、抜け止めがなされる。
【先行技術文献】
【特許文献】
【０００８】
【特許文献１】特開平７−９４２３０号公報
【発明の概要】
【発明が解決しようとする課題】
【０００９】
しかしながら、この図１５及び図１６に示す従来例の二重係止コネクタにあっては、以下の問題点があった。
即ち、リテーナ１３０の係止アーム１３２がリテーナ１３０の左右幅方向両端部に設置されるとともに、そのリテーナ１３０の先端部を受け入れる係合溝１１３がハウジング１１０の左右幅方向外壁にあるリテーナ挿入孔１１２の前後方向両端側の最深部に設けられている。また、ハウジング１１０の左右幅方向外壁にあるリテーナ挿入孔１１２における両係合溝１１３寄りであって前後に対向する孔壁部に、リテーナ１３０の係止アーム１３２が係合する複数の係止突部１１４ａ，１１４ｂ，１１４ｃが設けられている。
【００１０】
このため、ハウジング１１０の強度を保つために係合溝１１３があるハウジング１１０の左右幅方向外壁の厚さを厚くすると、二重係止コネクタ１０１の幅方向の寸法が大きくなってしまうという問題がある。その一方、ハウジング１１０の左右幅方向外壁の厚さを薄くすると、ハウジング１１０の強度が低下してしまう問題がある。
従って、本発明は上述の問題点に鑑みてなされたものであり、その目的は、コンタクト収容室の狭ピッチ化を可能としつつ、コネクタの左右幅方向寸法の小型化を実現する二重係止コネクタを提供することにある。
【課題を解決するための手段】
【００１１】
上記目的を達成するために、本発明のうち請求項１に係る二重係止コネクタは、複数のコンタクトと、各々が前記複数のコンタクトの各々を収容し、左右幅方向に沿って上下２列状に配置された複数のコンタクト収容室を有するハウジングと、前記コンタクトの各々及び／又は前記コンタクト収容室の各々に設けられた一次係止手段と、前記ハウジングに装着され、前記複数のコンタクトの二次係止手段としてのリテーナとを備え、前記ハウジングには、該ハウジングの底側面から開口して前記コンタクト収容室を前後に分断するように形成されたリテーナ装着孔を設け、前記リテーナが、前記ハウジングの底側面の開口から前記リテーナ装着孔に挿入されて前記コンタクト収容室と前記リテーナに設けられたコンタクト挿通孔が整合する仮係止位置と本係止位置とで保持される二重係止コネクタにおいて、前記上下２列状のコンタクト収容室は、前記左右幅方向に沿って千鳥配置されているとともに、前記ハウジングの前記リテーナ装着孔には、左右幅方向で隣接する前記コンタクト収容室間の空間に設けられたハウジング極間壁に形成された係止部を備え、前記リテーナが、前記係止部に係止される係止アームを備えていることを特徴としている。
【００１２】
また、本発明のうち請求項２に係る二重係止コネクタは、請求項１記載の二重係止コネクタにおいて、前記係止アームが仮係止アームであり、前記係止部が仮係止部であり、前記仮係止アームが前記仮係止部に係止されたときに前記リテーナが前記仮係止位置に保持されることを特徴としている。
更に、本発明のうち請求項３に係る二重係止コネクタは、請求項２記載の二重係止コネクタにおいて、前記仮係止アーム及び前記仮係止部が１対設けられ、前記１対の仮係止アームが前記１対の仮係止部に同時に係止されることを特徴としている。
【００１３】
また、本発明のうち請求項４に係る二重係止コネクタは、請求項３記載の二重係止コネクタにおいて、前記リテーナが前記仮係止位置に保持されるときに前記１対の仮係止アーム間に前記コンタクトが配置されることを特徴としている。
【発明の効果】
【００１４】
本発明のうち請求項１に係る二重係止コネクタによれば、リテーナが、ハウジングの底側面の開口からリテーナ装着孔に挿入されて仮係止位置と本係止位置とで保持される二重係止コネクタにおいて、ハウジングのリテーナ装着孔には、左右幅方向で隣接するコンタクト収容室間の空間に設けられたハウジング極間壁に形成された係止部を備え、リテーナが、この係止部に係止される係止アームを備えているので、係止アームはリテーナ装着孔における左右幅方向で隣接するコンタクト収容室間で係止されることになり、係止アームの係止のためにハウジングの左右幅方向外壁を厚くする必要はない。このため、コネクタの左右幅方向寸法の小型化を実現することができる。また、上下２列状のコンタクト収容室が、左右幅方向に沿って千鳥配置されているので、コンタクト収容室の狭ピッチ化が可能となる。
【００１５】
また、本発明のうち請求項２に係る二重係止コネクタによれば、請求項１記載の二重係止コネクタにおいて、前記係止アームが仮係止アームであり、前記係止部が仮係止部であり、前記仮係止アームが前記仮係止部に係止されたときに前記リテーナが前記仮係止位置に保持されるので、仮係止アームの仮係止のためにハウジングの外壁を厚くする必要はなく、コネクタの左右幅方向寸法の小型化を実現することができる二重係止コネクタとすることができる。
【００１６】
更に、本発明のうち請求項３に係る二重係止コネクタによれば、請求項２記載の二重係止コネクタにおいて、前記仮係止アーム及び前記仮係止部が１対設けられ、前記１対の仮係止アームが前記１対の仮係止部に同時に係止されるので、仮係止時（リテーナが仮係止位置に保持される時）において、リテーナがコンタクトの軸方向の周りに回転せず、コンタクト収容室及びリテーナ挿通孔を確実に整合することができる。
【００１７】
また、本発明のうち請求項４に係る二重係止コネクタによれば、請求項３記載の二重係止コネクタにおいて、前記リテーナが前記仮係止位置に保持されるときに前記１対の仮係止アーム間に前記コンタクトが配置されるので、仮係止時（リテーナが仮係止位置に保持される時）において、１対の仮係止アームがそれらの間のコンタクトにより支持され、コンタクトをコンタクト収容室内に挿入した後においてリテーナが仮係止状態から脱落しない二重係止コネクタとすることができる。
【図面の簡単な説明】
【００１８】
【図１】本発明に係る二重係止コネクタの実施形態を正面斜め上方側から見た斜視図である。
【図２】図１に示す二重係止コネクタを背面斜め上方側から見た斜視図である。
【図３】図１に示す二重係止コネクタからリテーナを分離した状態を正面斜め上方側から見た斜視図である。
【図４】図１に示す二重係止コネクタからリテーナを分離した状態を背面斜め上方側から見た斜視図である。但し、図４においては、コンタクト及び電線は示されていない。
【図５】図１に示す二重係止コネクタを示し、（Ａ）はリテーナを分離した状態を正面斜め下方側から見た斜視図、（Ｂ）はリテーナを二重係止コネクタに挿入途中の状態を正面斜め下方側から見た斜視図である。
【図６】図１に示す二重係止コネクタを示し、（Ａ）はリテーナを分離した状態を背面斜め下方側から見た斜視図、（Ｂ）はリテーナを二重係止コネクタに挿入途中の状態を背面斜め下方側から見た斜視図である。
【図７】リテーナが仮係止位置にあるときの二重係止コネクタを示し、（Ａ）は正面図、（Ｂ）は底面図、（Ｃ）は背面図である。
【図８】図７（Ｂ）の８−８線に沿う断面図である。
【図９】図７（Ｃ）の９−９線に沿う断面図である。
【図１０】図８の１０−１０線に沿う断面図である。
【図１１】リテーナが本係止位置にあるときの二重係止コネクタを示し、（Ａ）は正面図、（Ｂ）は背面図である。
【図１２】リテーナが本係止位置にあるときの図７（Ｂ）の８−８線に沿う断面図である。
【図１３】図１１（Ｂ）の１３−１３線に沿う断面図である。
【図１４】図１２の１４−１４線に沿う断面図である。
【図１５】従来例の二重係止コネクタの分解斜視図である。
【図１６】係止アームの係合順を示す要部拡大断面図である。
【発明を実施するための形態】
【００１９】
以下、本発明の実施の形態を図面を参照して説明する。
図１乃至図１４に示す二重係止コネクタ１は、ハウジング１０と、ハウジング１０に取り付けられた複数のコンタクト（図１４参照）２０と、リテーナ３０とを備えている。
ここで、ハウジング１０は、図１に示すように、略直方体状の下段ハウジング部１１と、この下段ハウジング部１１の上側に位置する略直方体状の上段ハウジング部１２とを備えている。下段ハウジング部１１及び上段ハウジング部１２は、絶縁性の樹脂を成形することによって一体的に形成される。下段ハウジング部１１及び上段ハウジング部１２左右幅方向（図７（Ａ）における左右方向）において互いに対してずれて配置されている。
【００２０】
そして、下段ハウジング１１及び上段ハウジング部１２のそれぞれには、図２、図４、図６乃至図１４に示すように、ハウジング１０の左右幅方向に沿って各コンタクト２０を収容するコンタクト収容室１３が複数（本実施形態にあっては上下とも３つずつ）設けられて上下２列状のコンタクト収容室１３とされている。上下２列状のコンタクト収容キャビティ１３は、ハウジング１０の左右幅方向に沿って千鳥配置されている。
【００２１】
このように、上下２列状のコンタクト収容室１３を左右幅方向に沿って千鳥配置することにより、コンタクト収容室が１列の場合には必要だった隣接するコンタクト収容室間の壁の厚さを考慮しなくてよいので、コンタクト収容室１３の左右幅方向の配列ピッチを狭ピッチにすることができる。これにより、コンタクト収容室１３内に収容されるコンタクト２０の左右幅方向の配列ピッチを狭ピッチにすることができる。
【００２２】
更に、下段ハウジング部１１及び上段ハウジング部１２の前端面（図１４における左端面）には、図１、図３、図５、図６、図７、図９及び図１４に示すように、各コンタクト収容室１３の左右両側部から前方に延びる複数対の仕切板２５が設けられている。各対の仕切板２５間には、図示しない相手接続体の板状の相手接触部材を受容するようになっている。相手接触部材としては例えば燃料電池のセルがあげられる。各対の仕切板２５の内側面には、図１４に示すように、各コンタクト２０の接触部２２を受容する溝２６が設けられている。
【００２３】
そして、下段ハウジング部１１及び上段ハウジング部１２には、図３乃至図６によく示すように、リテーナ３０が装着されるリテーナ装着孔１４が形成されている。このリテーナ装着孔１４は、ハウジング１０を構成する下段ハウジング部１１の底側面から開口して各コンタクト収容室１３を前後に分断するように形成されている。リテーナ装着孔１４には、図８に示すように、左右幅方向で隣接する上列のコンタクト収容室１３間の空間に１対のハウジング極間壁１５が設けられている。１対のハウジング極間壁１５は、上列の３つのコンタクト収容室１３のうち真中のコンタクト収容室１３を挟むように設けられている。各ハウジング極間壁１５は、上段ハウジング部１２の上壁から下方に垂下するように形成されている。そして、各ハウジング極間壁１５の下端部には、内側（真中のコンタクト収容室１３）に向けて突出する仮係止部（請求項１における係止部に相当）１６が設けられている。１対の仮係止部１６の上下方向の位置は同じ位置に設定され、上列のコンタクト収容室１３の下端部よりも若干上の位置である。
【００２４】
また、下段ハウジング部１１の下列のコンタクト収容室１３のうちの一つの下列コンタクト収容室１３（本実施形態にあっては図１１（Ｂ）における最も左側のコンタクト収容室１３）には、図１１（Ｂ）及び図１３に示すように、コンタクト収容室１３から左右幅方向内側（図１１（Ｂ）における左側）に延びる本係止用貫通孔１９が形成されている。また、図１に示すように、上段ハウジング部１２の上面には、相手接続体に係止される片持ち梁状のロックアーム１７が設けられている。ロックアーム１７には、相手接続体に係止される係止突起１８が設けられている。
【００２５】
また、各コンタクト２０は、図１４に示すように、略箱形の基部２１と、基部２１から前方に延び相手接触部材が接触する接触部２２と、基部２１から後方に延び、電線Ｗを圧着接続するための電線接続部２３とを備えている。各コンタクト２０は、金属板を打ち抜き及び曲げ加工することによって形成される。基部２１の両側壁には、コンタクト２０がコンタクト収容室１３内に収容されたときに、当該コンタクト２０をコンタクト収容室１３の両側壁に対して一次係止するための１対の一次係止突起（一次係止手段）２４が設けられている。また、基部２１の後端縁は、二次係止用のスタビライザ部２７とされている。また、接触部２２は、下側から相手接触部材を受容可能な１対の弾性接触板で構成されている。
【００２６】
次に、リテーナ３０は、ハウジング１０の底側面の開口からリテーナ装着孔１４に挿入されてハウジング１０に装着される。リテーナ３０は、図７乃至図１０に示す仮係止位置と図１１乃至図１４に示す本係止位置の双方でハウジング１０に保持される。リテーナ３０は、ハウジング１０のコンタクト収容室１３内に収容されたコンタクト２０の二次係止手段として機能する。
【００２７】
このリテーナ３０は、図３乃至図６に示すように、略直方体形状の基部３１を備えている。リテーナ３０は、絶縁性の樹脂を成形することによって形成される。基部３１には、下列のコンタクト収容室１３に整合する複数のコンタクト挿通孔３２が前後方向に貫通するように形成されている。また、リテーナ３０は、図３に示すように、複数のコンタクト挿通孔３２の下方に位置する複数の下側二次係止部３３ａ，３３ｂ，３３ｃと、基部３１の上面から上方に突出する複数の上側二次係止部３４ａ，３４ｂ，３４ｃとを備えている。下側二次係止部３３ａ，３３ｂ，３３ｃは下列のコンタクト収容室１３と同一ピッチで配置され、リテーナ３０が本係止位置にあるときに図１２に示すように下側のコンタクト収容室１３内に収容されたコンタクト２０を二次的に係止する。上側二次係止部３４ａ，３４ｂ，３４ｃは、上列のコンタクト収容室１３と同一ピッチで配置され、リテーナ３０が本係止位置にあるときに図１２に示すように上列のコンタクト収容室１３内に収容されたコンタクト２０を二次的に係止する。下側二次係止部３３ａ，３３ｂ，３３ｃ及び上側二次係止部３４ａ，３４ｂ，３４ｃは、左右幅方向に沿って千鳥配置されている。
【００２８】
また、リテーナ３０は、図３乃至図６、及び図８に示すように、１対の仮係止アーム（請求項１における係止アームに相当）３５を備えている。これら１対の仮係止アーム３５は、真中の上側二次係止部３４ｂを挟んで対向して配置され、それぞれの仮係止アーム３５が左右方向に弾性変形可能に構成されている。そして、各仮係止アーム３５の先端には、ハウジング１０に設けられた各仮係止部１６に係止される仮係止突起３６が外側に向けて突出形成されている。
【００２９】
また、リテーナ３０は、図４、図６、図１１及び図１３に示すように、本係止突起３８を備えている。本係止突起３８は、図４に示すように、複数のコンタクト挿通孔３２のうちの一つのコンタクト挿通孔３２（本実施形態にあっては図４における最も左側のコンタクト挿通孔）の下方部においてコンタクト挿通孔３２の下方部において後方に延びるように設けられている（図１３参照）。本係止突起３８は、上下方向において弾性変形可能に構成されている。本係止突起３８は、図１３に示すように、ハウジング１０に設けられた本係止用貫通孔１９に入り込んで係止される。
【００３０】
なお、リテーナ３０の基部３１の前面には、図３に示すように、上下方向に延びる複数の案内用突条３７ｂが設けられ、基部３１の後面には、図４に示すように、上下方向に延びる一つの案内用突条３７ａが設けられている。これら案内用突条３７ｂは、図６に示すように、リテーナ３０をリテーナ装着孔１４に挿入するときに、リテーナ装着孔１４の前面に設けられた複数の案内溝３９ｂに嵌入してリテーナ３０の挿入を案内する。一方、案内用突条３７ａは、図５に示すように、リテーナ３０をリテーナ装着孔１４に挿入するときに、リテーナ装着孔１４の後面に設けられた案内溝３９ａに嵌入してリテーナ３０の挿入を案内する。従って、リテーナ３０をリテーナ装着孔１４に挿入するときにリテーナ３０の前後及び左右が案内用突条３７ａ及び案内用溝３９ａ、案内用突条３７ｂ及び案内用溝３９ｂによって規制されるから、リテーナ３０がリテーナ装着孔１４に対して前後逆等の不適切に挿入されることはない。
【００３１】
次に、二重係止コネクタ１の組立方法について説明する。
先ず、図３乃至図６に示すように、ハウジング１０のリテーナ装着孔１４にハウジング１０の底面の開口からリテーナ３０を挿入し、リテーナ３０を図７乃至図１０に示す仮係止位置に位置させる。このとき、リテーナ３０の１対の仮係止アーム３５に設けられた１対の仮係止突起３６が、図８に示すように、ハウジング１０に設けられた１対の仮係止部１６に同時に係止される。そして、１対の仮係止アーム３５間にコンタクト２０が配置される。仮係止突起３６の仮係止動作について説明すると、リテーナ３０の挿入初期に仮係止突起３６が先ず仮係止部１６の下端に当接する。リテーナ３０の挿入が進行すると、仮係止突起３６が仮係止部１６に沿いつつ仮係止アーム３５が内方に向けて撓む。さらにリテーナ３０の挿入が進行すると、仮係止突起３６が元の状態に復元し、仮係止突起３６が、仮係止部１６に係止されるのである。このとき、本係止突起３８は、図９に示すように、ハウジング１０の下端面とリテーナ装着孔１４とが交差する部分に当接したところでその進行が止まる。
【００３２】
次いで、リテーナ３０が仮係止位置にあるときに、電線Ｗを接続した各コンタクト２０をハウジング１０の後側から各コンタクト収容室１３内に挿入する。この際に、図８乃至図１０に示すように、ハウジング１０の下列のコンタクト収容室１３とリテーナ３０のコンタクト挿通孔３２とが整合し、各コンタクト２０はスムーズに下列のコンタクト収容室１３内に挿入される。また、上列のコンタクト収容室１３については、リテーナ３０の上側二次係止部３４ａ，３４ｂ，３４ｃが各上列のコンタクト収容室１３を塞ぐ位置にはなく、各コンタクト２０はスムーズに上列のコンタクト収容室１３内に挿入される。すると、各コンタクト２０に設けた１対の一次係止突起２４が当該コンタクト収容室１３の両側壁に対して弱く圧入され、各コンタクト２０がハウジング１０に一次係止される。
【００３３】
最後に、リテーナ３０を押し込んで図１１乃至図１４に示す本係止位置に位置させる。この際に、本係止突起３８が、図１３に示すように、本係止用貫通孔１９に嵌入されて係止される。本係止突起３８の本係止動作について説明すると、リテーナ３０を仮係止位置から押し込むと、本係止突起３８がハウジング１０の下端面とリテーナ装着孔１４とが交差する部分に沿いつつ下方に撓む。さらにリテーナ３０の挿入が進行すると、本係止突起３８が当該部分を乗り越えて本係止突起３８が元の状態に復元し、係止用貫通孔１９に嵌入されて係止されるのである。
【００３４】
リテーナ３０が本係止位置に位置すると、リテーナ３０の下側二次係止部３３ａ，３３ｂ，３３ｃ及び上側二次係止部３４ａ，３４ｂ，３４ｃは、図１２乃至図１４に示すように、各コンタクト収容キャビティ室１３の一部を塞ぐ位置に位置する。これにより、図１２乃至図１４に示すように、リテーナ３０の下側二次係止部３３ａ，３３ｂ，３３ｃ及び上側二次係止部３４ａ，３４ｂ，３４ｃのそれぞれは、上下２列のコンタクト収容室１３内に収容された各コンタクト２０のスタビライザ部２７の後側を二次的に係止する。これにより、二重係止コネクタ１が完成する。
【００３５】
本実施形態に係る二重係止コネクタ１によれば、ハウジング１０のリテーナ装着孔１４には、左右幅方向で隣接するコンタクト収容室１３間の空間に設けられたハウジング極間壁１５に形成された仮係止部１６を備え、リテーナ３０が、この仮係止部１６に係止される仮係止アーム３５を備えている。このため、仮係止アーム３５はリテーナ装着孔１４における左右幅方向で隣接するコンタクト収容室１３間で係止されることになり、仮係止アーム３５の仮係止のためにハウジング１０の左右幅方向外壁を厚くする必要はない。従って、二重係止コネクタ１の左右幅方向寸法の小型化を実現することができる。また、上下２列状のコンタクト収容室１３が、左右幅方向に沿って千鳥配置されているので、コンタクト収容室１３の狭ピッチ化が可能となる。
【００３６】
なお、リテーナ３０の本係止突起３８は、複数のコンタクト挿通孔３２のうちの一つのコンタクト挿通孔３２の下方部において後方に延びるように設けられている。一方、本係止突起３８が係止されるハウジング１０の本係止用貫通孔１９は、下段ハウジング部１１の下列コンタクト収容室１３のうちの一つの下列コンタクト収容室１３から左側（左右幅方向内側）に延びている。このため、本係止突起３８及び本係止用貫通孔１９が二重係止コネクタ１の左右幅方向寸法の小型化の実現に対して阻害要因となることはない。
【００３７】
また、仮係止アーム３５及び仮係止部１６が１対設けられ、１対の仮係止アーム３５が１対の仮係止部１６に同時に係止される。このため、仮係止時（リテーナ３０が仮係止位置に保持される時）において、リテーナ３０が転ばず、すなわちコンタクト２０の軸方向の周りに回転せず、コンタクト収容室１３及びコンタクト挿通孔３２を確実に整合することができる。
【００３８】
更に、リテーナ３０が仮係止位置に保持されるときに１対の仮係止アーム３５間にコンタクト２０が配置される。このため、仮係止時において、１対の仮係止アーム３５がそれらの間のコンタクト２０により支持されて内方への撓みを防止されるので、コンタクト２０をコンタクト収容室１３内に挿入した後においてリテーナ３０が仮係止状態から脱落しない。
【００３９】
以上、本発明の実施形態について説明してきたが、本発明はこれに限定されずに種々の変更、改良を行うことができる。
例えば、請求項１に規定した「係止アーム」は、仮係止機能のみを有する仮係止アーム３５とする場合のみならず、本係止機能をも合わせもったものとしてもよい。この場合、リテーナ３０に本係止突起３８を、ハウジング１０に本係止用貫通孔１９を設けずに、たとえば、図１２に示す本係止位置の状態において、仮係止アーム３５の仮係止部３６をハウジング１０に設けた本係止部に係止させるようにする。このようにすると、仮係止機能と本係止機能をもった係止アーム３５がリテーナ装着孔１４における左右幅方向で隣接するコンタクト収容室１３間で係止されることになり、係止アームの仮係止および本係止のためにハウジングの左右幅方向外壁を厚くする必要はない。このため、コネクタの左右幅方向寸法の小型化を実現することができる。
【００４０】
また、一次係止手段として一次係止突起２４を各コンタクト２０に設けてあるが、各コンタクト収容室１３側に各コンタクトを係止する手段、たとえばハウジングランスを設けてもよく、あるいは各コンタクト２０と各コンタクト収容室１３の双方に設けてもよい。
【符号の説明】
【００４１】
１  二重係止コネクタ
１０  ハウジング
１３  コンタクト収容室
１５  ハウジング極間壁
１６  仮係止部（係止部）
２０  コンタクト
２４  一次係止突起（一次係止手段）
３０  リテーナ
３２  コンタクト挿通孔
３５  仮係止アーム（係止アーム）
【図１】
2010262853.tif 000003
【図２】
2010262853.tif 000004
【図３】
2010262853.tif 000005
【図４】
2010262853.tif 000006
【図５】
2010262853.tif 000007
【図６】
2010262853.tif 000008
【図７】
2010262853.tif 000009
【図８】
2010262853.tif 000010
【図９】
2010262853.tif 000011
【図１０】
2010262853.tif 000012
【図１１】
2010262853.tif 000013
【図１２】
2010262853.tif 000014
【図１３】
2010262853.tif 000015
【図１４】
2010262853.tif 000016
【図１５】
2010262853.tif 000017
【図１６】
2010262853.tif 000018